(57)【特許請求の範囲】
【請求項１】
複数のアクセス・ポイントからなる分散ネットワーク内での無線通信の方法であって、
第１のアクセス・ポイントを示す情報にアクセスし、
活動状態セットの複数の第２のアクセス・ポイントの各々を示す情報にアクセスし、
前記第１のアクセス・ポイントを示す情報と活動状態セットを示す情報とを比較し、そして、
前記活動状態セットの複数の第２のアクセス・ポイントを示す情報の少なくとも１つの所定の部分が、前記第１のアクセス・ポイントを示す情報の所定の部分と同じである場合、呼セッション識別子を要求しない、方法。
【請求項２】
前記活動状態セットの複数の第２のアクセス・ポイントの各々を示す情報にアクセスすることは、前記活動状態セットの前記複数の第２のアクセス・ポイントの各々に関連するカラー・コードにアクセスすることを含む、請求項１に記載の方法。
【請求項３】
前記活動状態セットの複数の第２のアクセス・ポイントを示す情報の少なくとも１つの所定の部分が、前記第１のアクセス・ポイントを示す情報の所定の部分と同じである場合、呼セッション識別子を要求しないことは、前記活動状態セットの複数の第２のアクセス・ポイントの少なくとも１つに関連するカラー・コードが、前記第１のアクセス・ポイントに関連するカラー・コードと同じである場合、呼セッション識別子を要求しないことを含む、請求項１に記載の方法。
【発明の詳細な説明】
【技術分野】
【０００１】
本発明は、一般に電気通信システムに関し、特に無線通信システムに関する。
【背景技術】
【０００２】
従来の無線通信では、１つまたは複数の移動体ユニットが無線アクセス・ネットワーク（Radio Access Network：ＲＡＮ）への無線リンクを確立することができる。ＲＡＮアーキテクチャは通常、階層構造であり、各移動体ユニットの呼のセッションに関連する呼状態情報は、無線ネットワーク制御装置（Radio Network controller：ＲＮＣ）、パケット・データ・サービング・ノード（Packet Data Service Node：ＰＤＳＮ）などの中央のリポジトリ(repository)に記憶されている。移動体ユニットが休止状態の間に移動体ユニットのユーザが地理的位置を変更すると、ページング・プロセスを用いて移動体ユニットを見つけることができる。例えば、移動体ユニットに向けられたデータが無線ネットワーク制御装置に達するとページング・プロセスを開始できる。呼び出しを受信すると、移動体ユニットはユニキャスト・アクセス端末識別子（Unicast Access Terminal Identifier：ＵＡＴＩ）などの識別子を送信でき、識別子を使用して中央リポジトリ内の呼状態情報を見つけることができる。移動体ユニットはまた休止状態のセッションを再活動化することができ、その場合、ＵＡＴＩが送信され使用されて中央リポジトリ内の呼状態情報を見つける。
【０００３】
従来の階層構造のネットワーク・アーキテクチャに代わる１つの形態は基地局ルータのネットワークを含む分散アーキテクチャである。例えば、各基地局ルータは、インターネットなどの１つまたは複数の移動体ユニットと外部ネットワークとの間の無線リンクを管理する単一のエンティティ(entity)内でＲＮＣおよび／またはＰＤＳＮ機能を組み合わせることができる。階層ネットワークと比べて、分散アーキテクチャはネットワーク配備のコストおよび／または複雑性ならびに既存ネットワークの通信可能範囲を拡張する基地局ルータなどの追加の無線アクセス・ポイントを追加するコストおよび／または複雑性を低減する可能性を有する。また、階層ネットワークのＲＮＣおよびＰＤＳＮのパケット・キューイング遅延が低減または解消されるため、分散ネットワークはユーザが遭遇する遅延を（階層ネットワークと比べて）低減することができる。
【０００４】
分散アーキテクチャでは、１つまたは複数の移動体ユニットは複数の基地局ルータのいずれかとの呼セッションを確立できる。したがって、各基地局ルータは移動体ユニットにＵＡＴＩなどの識別子を割り当てる能力がなくてはならない。例えば、ＥＶｏｌｕｔｉｏｎ−Ｄａｔａ  Ｏｎｌｙ（ＥＶＤＯ）標準とも呼ばれる試案の符号分割多元接続アクセス（Code Division Multiple Access：ＣＤＭＡ）プロトコル標準は、移動体ユニットによって呼セッションが開始されると移動体ユニットに割り当てられる一意的な１２８ビットのＵＡＴＩを指定する。移動体ユニットは呼セッションの間、ＵＡＴＩを保持する。現状では、ＥＶＤＯ呼セッションのＵＡＴＩは、１０４ビットのＵＡＴＩ１０４と２４ビットのＵＡＴＩ０２４との２部に分かれている。ＵＡＴＩ０２４部は呼セッション中の移動体ユニットについて一意であり、ＵＡＴＩ１０４は分散ネットワーク内の基地局ルータの指定のサブネット内のすべての移動体ユニットに共通である。
【０００５】
動作時には、従来の分散ネットワーク同報通信での基地局ルータはそのサブネット・アドレス、例えば、ＵＡＴＩのＵＡＴＩ１０４部により示されるアドレスを同報通信または公表する。ただし、アドレスは制御チャネル上で公表するには長すぎるので、基地局ルータはカラー・コード(color code)と呼ばれるサブネット・アドレスに８ビットのエイリアス(alias)を公表する。次いで移動体ユニットは、移動体ユニットにサービスを提供する基地局ルータを含むサブネットが制御チャネル上で公表されたカラー・コードをモニタすることで変化したか否かを判定することができる。移動体ユニットがカラー・コードの変化を検出すると、移動体ユニットは通常、新しいＵＡＴＩを要求しなければならない。例えば、移動体ユニットは第１のカラー・コードを有する第１のサブネットに属する第１の基地局ルータとの呼セッションを開始できる。第１の基地局ルータは移動体ユニットにＵＡＴＩを割り当てる。移動体ユニットが休止状態になった後で、第２のカラー・コードを有する第２のサブネットに属する第２の基地局ルータにメッセージを送信することで再活動化すると、移動体ユニットは第２の基地局ルータに新しいＵＡＴＩを要求しなければならない。
【発明の概要】
【発明が解決しようとする課題】
【０００６】
しかし、休止状態の移動体ユニットが再活動化した時に、基地局ルータは休止状態の呼セッションに関連する呼セッション情報を見つけるのが困難なことがある。例えば、移動体ユニットが第１の基地局ルータとの呼セッションを開始できるようになった後、移動体ユニットを第２の基地局ルータにハンドオフでき、第２の基地局ルータも関連する呼状態情報を受信して記憶することができる。次いで移動体ユニットが休止状態になった後で、第３の基地局ルータにメッセージを送信することで再活動化すると、第３の基地局ルータは第２の基地局ルータに記憶された呼セッション情報を見つけることができない場合がある。
【０００７】
本発明の目的は、上記の１つまたは複数の問題の影響に対処することである。
【課題を解決するための手段】
【０００８】
以下、本発明のいくつかの態様の基本的な理解のために本発明の簡単な概要を述べる。この概要は、本発明の網羅的な概略ではない。また、この概要は本発明の主要なまたは重要な要素を識別するものではなく、また本発明の範囲を示すものでもない。その唯一の目的は、後述の詳細な説明の序論としていくつかの概念を簡略化して提示することである。
【０００９】
本発明の一実施例では、複数のアクセス・ポイントからなる分散ネットワーク内での無線通信の方法が提供される。この方法は、休止状態の呼セッションが活動化するという情報を受信する工程を含む。また、この方法は休止状態の呼セッションを示す識別子を提供する工程を含む。この識別子はそこに記憶された呼セッションの状態を示す情報を有するアクセス・ポイントを示す情報を含む。
【００１０】
本発明の別の実施例では、複数のアクセス・ポイントからなる分散ネットワーク内での無線通信の方法が提供される。この方法は、休止状態の呼セッションが活動化するということを示す情報を受信する工程と休止状態の呼セッションを示す識別子を受信する工程とを含む。この方法はまた、識別子に基づいて複数のアクセス・ポイントの少なくとも１つを識別する工程を含み、前記少なくとも１つの識別されたアクセス・ポイントは、そこに記憶された呼セッションの状態を示す情報を有する。
【００１１】
本発明のさらに別の実施例では、複数のアクセス・ポイントからなる分散ネットワーク内での無線通信の方法が提供される。この方法は、第１のアクセス・ポイントを示す情報にアクセスする工程と、活動状態セットの複数の第２のアクセス・ポイントの各々を示す情報にアクセスする工程と、前記第１のアクセス・ポイントと活動状態セットを示す前記情報を比較する工程とを含む。この方法はまた、前記第１のアクセス・ポイントを示す前記情報の所定の部分が前記活動状態セットの複数の第２のアクセス・ポイントの少なくとも１つを示す情報の所定の部分と異なっている時に呼セッション識別子を要求する工程を含む。
【００１２】
本発明は、同様の参照番号が同様の要素を識別する添付図面に関連する以下の説明を読むことで理解できる。
【図面の簡単な説明】
【００１３】
【図１】本発明の分散無線通信システムの概念図である。
【図２】図１に示す本発明の分散無線通信システム内で使用できる呼セッション識別子の概念図である。
【図３】本発明の呼セッションの休止状態に先立って情報を移転する方法の一実施例の概念図である。
【図４】本発明の休止状態の呼セッションを再活動化させる方法の第１の実施例の概念図である。
【図５】本発明の休止状態の呼セッションを再活動化させる方法の第２の実施例の概念図である。
【発明を実施するための形態】
【００１４】
本発明のさまざまな変形形態および代替形態が可能であるが、その特定の実施例を図面に例示し、本明細書に詳述する。ただし、本明細書内の特定の実施例の説明は本発明を開示の実施例に限定するものではなく、逆に、本発明は、添付の特許請求の範囲に記載する本発明の精神および範囲を逸脱しないすべての変形形態、等効形態、および代替形態を含むものである。
【００１５】
本発明の実施例について以下に説明する。話を分かりやすくするために、本明細書では実際の実施例のすべての特徴について説明しているわけではない。そのような実際の実施例を開発する際に、実施例によって異なるシステム関連およびビジネス関連の制約への適合などの開発者の特定の目標を達成するために数多くの実施例固有の決定をしなければならないことが当然わかるであろう。さらに、そのような開発努力は複雑で時間がかかることがあるが、それにもかかわらず、本開示の利益を享受する当業者にとっては日常的な作業であろう。
【００１６】
本発明の一部とそれに対応する詳細な説明をソフトウェア、またはアルゴリズムおよびコンピュータ・メモリ内のデータ・ビット上の動作を表す符号表現によって示す。これらの説明および表現は、当業者が他の当業者に作業内容を効果的に伝えるためのものである。本明細書で使用するアルゴリズムと言う用語は、一般的な使用例と同様、所望の結果に至る工程の一貫したシーケンスである。これらの工程は物理的な量の物理的な操作を必要とする工程である。必ずしもそうではないが、普通、これらの量は、記憶、転送、結合、比較、およびその他の操作が可能な光、電気、または磁気信号の形態をとる。これらの信号をビット、値、要素、符号、文字、項、数字などと呼ぶことは一般の用例からして便利なことがある。
【００１７】
ただし、上記およびそれと同様の用語は適当な物理量と対応させなければならず、これらの量に貼られる便利なラベルにすぎないことに留意されたい。特に断りのない限り、または説明から明らかなように、「処理」または「演算」または「計算」または「決定」または「表示」などの用語は、コンピュータ・システム、またはコンピュータ・システムのレジスタおよびメモリ内の物理的電子量として表されるデータを操作してコンピュータ・システムのメモリまたはレジスタあるいは他の情報記憶、転送または表示装置内の物理量として同様に表される他のデータに変換する同様の電子計算デバイスの動作およびプロセスを指す。
【００１８】
また、本発明のソフトウェアで実施される態様は、通常、何らかの形式のプログラム記憶媒体として符号化されるかまたは何らかのタイプの伝送媒体上で実施される。プログラム記憶媒体は、磁気媒体（例えば、フロッピー（登録商標）・ディスクまたはハード・ドライブ）または光媒体（例えば、コンパクト・ディスク読み出し専用メモリ、すなわち、「ＣＤ−ＲＯＭ」）であり、読み出し専用またはランダム・アクセス方式であってよい。同様に伝送媒体は、対撚り線、同軸ケーブル、光ファイバ、無線インタフェース、または当技術分野で知られているその他の適した伝送媒体でよい。本発明はいかなる所与の実施例の上記態様によっても限定されることはない。
【００１９】
添付図面を参照しながら本発明について説明する。例示的な目的でのみ、また当業者にはよく知られている詳細内容によって本発明を分かりにくくしないために、さまざまな構造、システムおよび装置の概略を図面に示している。ただし、添付図面は本発明の実施例を説明し描写するために含まれる。本明細書で使用する単語および語句は、当業者によるそれらの単語および語句の理解と一致する意味を有するものと理解し解釈しなければならない。用語または語句の特別の定義、すなわち、当業者が理解する通常の慣例的な意味と異なる定義が、本明細書の用語または語句の一貫した使用によって生じることはない。用語または語句が特別の意味、すなわち、当業者が理解する意味以外の意味を有することが企画されている場合は、そのような特定の定義は、その用語または語句の特別の定義を直接また明瞭に提供する定義方法で本明細書内で明示的に示す。
【００２０】
図１は、分散無線通信システム１００の一実施例の概念図である。図に示す実施例では、分散無線通信システム１００のアクセス・ポイントは基地局ルータ１０５（１乃至５）の分散ネットワークを含む。これ以降、話を分かりやすくするために、基地局ルータ１０５（１）などの特定の基地局ルータを指している場合を除き、基地局ルータ１０５（１乃至５）をインデクス１０５で総称する。本発明について複数の基地局ルータ１０５を含む分散無線通信システム１００に関して説明するが、本発明はアクセス・ポイントが基地局ルータ１０５である分散無線通信システム１００に限定されないことは当業者には明らかであろう。代替実施例では、分散無線通信システム１００は任意の所望の数および／またはタイプのアクセス・ポイントを含むことができる。
【００２１】
基地局ルータ１０５の各々は、図１の移動体ユニット１１０などの１つまたは複数の移動体ユニットとの呼セッションを開始、確立、維持、送信、受信、着信でき、または呼セッションに関連する他の任意の所望の動作を実行できる。例えば、各基地局ルータ１０５は、単一エンティティ(entity)内で無線ネットワーク制御装置（ＲＮＣ）とパケット・データ・サービング・ノード（ＰＤＳＮ）の機能を組み合わせることができる。また、他の基地局ルータ１０５、他のデバイス、他のネットワークなどと当業者に知られている方法で通信できるように基地局ルータ１０５を構成することができる。
【００２２】
基地局ルータ１０５は、以後セル１２０と呼ぶ関連する地理領域内の移動体ユニット１１０への無線通信リンク１１５を提供する。分散無線通信システム１００内の基地局ルータ１０５のサブセットはまたサブネット１２５（１乃至２）に分類できる。各サブネット１２５（１乃至２）は、セル１２０のサブセットへの無線通信リンク１１５を提供する基地局ルータ１０５のサブネットを含む。サブネット１２５（１乃至２）は、１０４ビットのＵＡＴＩアドレスなどのサブネット・アドレスを有し、カラー・コードと呼ばれるサブネット・アドレスの８ビットのエイリアスも有することができる。話を分かりやすくするために、それぞれ１つおよび４つの基地局ルータ１０５を有する２つのサブネット１２５（１乃至２）だけが図１に示されている。ただし、本発明はこの実施例に限定されないことは当業者には明らかであろう。代替形態で、任意の所望の数の基地局ルータ１０５を含む任意の所望の数のサブネット１２５を使用できる。
【００２３】
各基地局ルータ１０５は、基地局ルータ１０５と１つまたは複数の移動体ユニット１１０との間に確立された呼セッションに関連する情報を作成、割り当て、送信、受信および／または記憶することができる。この情報を、これ以降、当技術分野での慣例に従って呼セッション状態情報と総称する。例えば、呼セッション状態情報は無線インタフェース・プロトコル、１つまたは複数のシーケンス番号、再シーケンス・バッファなどに関連する情報を含むことができる。また、呼セッション状態情報は、ヘッダ圧縮情報、ペイロード圧縮情報、および関連するパラメータなどのポイントツーポイント・プロトコル（Point-to-Point Protocol：ＰＰＰ）に関連する情報を含むことができる。他のプロトコル・レイヤに関連する呼セッション状態情報は、基地局ルータ１０５が作成、送信、受信および／または記憶することができる。一実施例では、呼セッション状態情報はユニキャスト・アクセス端末識別子（ＵＡＴＩ）などの呼セッション識別子を含む。
【００２４】
図２は、図１に示す無線通信システム１００内で使用できる呼セッション識別子２００の概念図である。図に示す実施例では、呼セッション識別子２００は１０４ビットを含むＵＡＴＩ１０４部２０５と２４ビットを含むＵＡＴＩ０２４部２１０とを含むＵＡＴＩである。図に示すＵＡＴＩ１０４部２０５は、７２ビットのサブネット識別子２１５と３２ビットの基地局ルータＩＰアドレスとを含む。図に示すＵＡＴＩ０２４部２１０は、サブネットまたはカラー・コード内で一意の１２ビットの基地局ルータ識別子と１２ビットの呼セッション識別子とを含む。一実施例では、ＵＡＴＩ０２４部２１０とカラー・コードは分散無線通信システム１００内の呼セッションを一意的に識別する。本発明はＵＡＴＩ呼セッション識別子２００の特定の実施例に限定されないことは当業者には明らかであろう。代替実施例では、任意の所望の構造および／またはビット数を有する任意の所望の呼セッション識別子２００を使用できる。
【００２５】
図に示す実施例では、ＵＡＴＩ０２４内の１２個の呼セッション・ビットは、活動状態および／または休止状態の呼セッションを含むことができる最大４０９６個の呼セッションを表すことができる。１２個の基地局ルータ識別子ビットは、サブネットまたはカラー・コード内の最大４０９６個の基地局ルータを表すことができる。したがって、以下に詳述するように、移動体ユニットが同じサブネットまたはカラー・コード内の第１の（収容）基地局から第２の（標的）基地局に移動する時には、標的基地局ルータはＵＡＴＩ０２４部２１０を用いて収容基地局ルータを識別できる。次いで標的基地局ルータは収容基地局ルータから呼セッション情報を取り出すことができる。
【００２６】
一実施例では、ＵＡＴＩ１０４部２０５内の８ビットのカラー・コードおよび２４ビットＩＰアドレスを、セクタ・パラメータ・メッセージ内の１つまたは複数の移動体ユニットに送信できる。移動体ユニットはＵＡＴＩの該当部とセクタ・パラメータ・メッセージとが一致しない場合にこれらのメッセージを拒絶できる。したがって、論理ＩＰアドレスおよびカラー・コードをＵＡＴＩ１０４部２０５内で使用できる。論理アドレスは基地局ルータの実際のＩＰアドレスと異なることがあるので、変換テーブルを使用して基地局ルータの実際のＩＰアドレスにアクセスすることができる。一代替実施例では、ビット・ベースの基地局ルータ識別子の変わりにある範囲の数値を使用できる。この手法によって、利用可能なビットのより柔軟な範囲とより有効な使用法が可能になることがある。
【００２７】
図１を再度参照して、分散無線通信システム１００の一実施例の動作について説明する。移動体ユニット１１０と基地局ルータ１０５（１）との間に呼セッションが確立される。確立手順の一部として、基地局ルータ１０５（１）は呼セッションに呼セッション識別子を割り当てる。上記のように、呼セッション識別子はＵＡＴＩであってもよい。例えば、呼セッション識別子はサブネット１２５（１）と基地局ルータ１０５（１）の３２ビットＩＰアドレスとを識別する７２ビットのサブネット識別子を有する１０４ビットのＵＡＴＩ１０４を含むＵＡＴＩであってもよい。ＵＡＴＩ０２４は基地局ルータ１０５（１）を示す１２ビットの識別子を含むことができる。基地局ルータ１０５（１）を示す１２ビットの識別子はサブネット１２５（１）および／またはサブネット１２５（１）に関連する８８ビットのカラー・コード内で一意である。またＵＡＴＩ０２４は、基地局ルータ１０５（１）との間で同時に確立できる呼セッションのうち当該呼セッションを一意的に識別できる１２ビットの呼セッション識別子を含む。
【００２８】
呼セッションが確立されると、移動体ユニット１１０は基地局ルータ１０５（１）が収容するセル１２０から基地局ルータ１０５（２）が収容するセル１２０に移動する。一実施例では、基地局ルータ１２５（２）は移動体ユニット１１０に新しいＵＡＴＩを再度割り当てることができる。これは、基地局ルータ１０５（２）がサブネット１２５（１）とは異なる８ビットのカラー・コードを有するサブネット１２５（２）内にあるからである。ただし、ＵＡＴＩの再割り当ては必ずしも必要ではない。例えば、移動体ユニット１１０は同じカラー・コード内の基地局ルータ（図示せず）に移動でき、その場合、ＵＡＴＩを再度割り当てる必要はない。さらに、いくつかの代替実施例では、移動体ユニット１１０は、普通活動状態セットと呼ばれる複数の基地局ルータ１０５と通信することができる。活動状態セットの基地局ルータ１０５の１つがＵＡＴＩを割り当てる基地局ルータ１０５と同じカラー・コードを有する限り、ＵＡＴＩを再度割り当てる必要はない。一実施例では、基地局ルータ１０５（１）に記憶された呼セッション状態情報を基地局ルータ１０５（２）に移行させることができる。
【００２９】
次いで移動体ユニット１１０に関連する呼セッションは休止状態になる。休止状態とは移動体ユニット１１０と基地局ルータ１０５（２）との既存のトラヒック・チャネルが切断された後の移動体ユニット１１０の状態を指す。さまざまな代替実施例では、休止状態はユーザによる移動体ユニット１１０の電源断、音声通信での無音、送信すべきデータの不在などによってトリガされる。例えば、移動体ユニット１１０は音声またはデータが送信または受信されなくなると開始するタイマを含むことができる。タイマが満了すると、移動体ユニット１１０は休止状態になり、トラヒック・チャネルを切断することができる。休止状態になる前に、移動体ユニット１１０は、さまざまな基地局ルータ１０５間での情報の移行を含む１つまたは複数の休止状態前動作を実行できる。
【００３０】
図３は、呼セッションの休止状態に先立って情報を移行させる方法３００の一実施例の概念図である。図３に示す実施例では、移動体ユニット（Mobile Unit：ＭＵ）に関連する動作はインデクス３０５（１乃至２）によって示され、割り当て側基地局ルータ（Assigning Base Station Router：ＢＳＲａｓｓｉｇｎ）に関連する動作は、インデクス３１０（１乃至２）によって示され、休止状態前の収容基地局ルータ（Pre-dormancy Serving Base Station Router：ＢＳＲｐｒｅ）に関連する動作は、インデクス３１５（１乃至４）によって示される。矢印３２０、３３０、３４０、３５０、３６０は１つまたは複数の動作３０５（１乃至２）、３１０（１乃至２）、３１５（１乃至４）中のデータ送信および／または受信を示す。本発明は動作３０５（１乃至２）、３１０（１乃至２）、３１５（１乃至４）に限定されないことは当業者には明らかであろう。代替実施例では、休止状態前の移行中にこれより多い、または少ない数の動作を実行してもよい。
【００３１】
動作３０５（１）および３１５（１）で、移動体ユニット（ＭＵ）および休止状態前の（または一次）基地局ルータ（ＢＳＲｐｒｅ）は矢印３２０が示すように通信状態である。すべてのプロトコルは、収容基地局ルータ、すなわち、休止状態前の基地局ルータ（ＢＳＲｐｒｅ）に移行しようとするのが自然の状態であるので、休止状態前の基地局ルータ（ＢＳＲｐｒｅ）が呼セッションのすべてのプロトコルを含むことができるように、休止状態になる前に休止状態前の基地局ルータ（ＢＳＲｐｒｅ）に情報を移行させることができる。ただし、ＵＡＴＩなどの呼セッション識別子は、通常、従来の移行方法では、割り当て側基地局ルータ（ＢＳＲａｓｓｉｇｎ）から休止状態前の基地局ルータ（ＢＳＲｐｒｅ）に移行しない。したがって、本発明の一実施例では、ＵＡＴＩは、以下に詳述するように、休止状態に先立って割り当て側基地局ルータ（ＢＳＲａｓｓｉｇｎ）から休止状態前の基地局ルータ（ＢＳＲｐｒｅ）に移行する。休止状態前にＵＡＴＩを移行することで休止状態の呼を再活動化させるプロセスが簡単化される。
【００３２】
動作３１５（２）で、休止状態前の基地局ルータ（ＢＳＲｐｒｅ）は矢印３３０によって示される信号を提供する。信号３３０は、休止状態タイマが所定のタイムアウト期間に達した後でデータの流れが停止した時に提供できるＵＡＴＩなどの呼セッション識別子を含む。動作３１０（１）で、元々移動体ユニットＭＵにＵＡＴＩを割り当てた割り当て側基地局ルータ（ＢＳＲａｓｓｉｇｎ）は信号３３０を受信し、最後の収容一次ＢＳＲ、すなわち、休止状態前の基地局ルータ（ＢＳＲｐｒｅ）の識別子を記録する。
【００３３】
動作３１５（３）で、休止状態前の基地局ルータ（ＢＳＲｐｒｅ）は、トラヒック・チャネルの割り当て解除に先立って、矢印３４０によって示されるＵＡＴＩ割り当てメッセージを移動体ユニット（ＭＵ）に送信する。動作３０５（２）で、移動体ユニット（ＭＵ）はＵＡＴＩ割り当てメッセージ３４０を受信し、呼セッションのためのそのＵＡＴＩを更新し、矢印３５０で示すように、ＵＡＴＩ完了メッセージを休止状態前の基地局ルータ（ＢＳＲｐｒｅ）に返送することで確認応答する。このシーケンスが正常終了すると、休止状態前の基地局ルータ（ＢＳＲｐｒｅ）は割り当て側基地局ルータ（ＢＳＲａｓｓｉｇｎ）になる。
【００３４】
動作３１５（４）で、この呼セッションについて新しいＵＡＴＩが割り当てられたことを伝える矢印３３０によって示される１つまたは複数のメッセージを、旧割り当て側基地局ルータ（ＢＳＲａｓｓｉｇｎ）に送信できる。動作３１０（２）で、旧割り当て側基地局ルータ（ＢＳＲａｓｓｉｇｎ）はメッセージ３６０を受信して以前に割り当てられたＵＡＴＩを解放する。旧割り当て側基地局ルータ（ＢＳＲａｓｓｉｇｎ）は以前に割り当てられたＵＡＴＩを別の呼セッションに割り当てることができる。
【００３５】
休止状態前の移行３００が完了すると、移動体ユニット（ＭＵ）は休止状態になることができる。ただし、休止状態前の移行は任意選択の動作であり、いくつかの実施例では、休止状態前の移行は実行されないことは当業者には明らかであろう。例えば、移動体ユニット（ＭＵ）は何らかの予期しないイベントのために予期せずに休止状態になることがある。あるいは、移動体ユニット（ＭＵ）のいくつかの実施例は上記のような休止状態前のルーチンを実行するように構成しないことがある。
【００３６】
図１を再度参照すると、休止状態の移動体ユニット１１０は基地局ルータ１０５（４）に対応する。例えば、ユーザは移動体ユニット１１０を基地局ルータ１０５（４）が収容する領域に移動させることができる。別の例として、環境条件を変更すると、基地局ルータ１０５（４）が高品質のサービスを移動体ユニット１１０に提供することがある。ただし、移動体ユニット１１０は休止状態なので、基地局ルータ１０５（４）は移動体ユニット１１０の存在に気が付いていないことがある。したがって、移動体ユニット１１０が再活動化すると、移動体ユニット１１０は休止状態の呼セッションを示す識別子を基地局ルータ１０５（４）に提供する。基地局ルータ１０５（４）は呼セッション識別子を用いて休止状態の呼セッションを示す識別子を割り当てた基地局ルータ１０５を識別する。休止状態の呼に関連する呼セッション状態情報が基地局ルータ１０５（２）に移行すると、基地局ルータ１０５（４）はこの識別子を用いて直接基地局ルータ１０５（２）を識別し、基地局ルータ１０５（２）上の呼状態情報にアクセスすることができる。あるいは、休止状態の呼に関連する呼セッション状態情報が基地局ルータ１０５（２）に移行していない場合、基地局ルータ１０５（４）は呼セッション識別子に基づいて基地局ルータ１０５（１）を識別することができる。基地局ルータ１０５（１）は以前に移動体ユニット１１０にサービスを提供した基地局ルータ１０５（２）を識別でき、基地局ルータ１０５（４）は基地局ルータ１０５（２）上の呼セッション状態情報にアクセスすることができる。休止状態の呼セッションはアクセスされた呼セッション状態情報を用いて再度活動化させることができる。
【００３７】
図４は、休止状態の呼セッションを再活動化させる方法４００の第１の実施例の概念図である。図４に示す実施例では、移動体ユニット（ＭＵ）に関連する動作はインデクス４０５（１乃至２）で示され、割り当て側基地局ルータ（ＢＳＲａｓｓｉｇｎ）に関連する動作は、インデクス４１０（１乃至２）によって示され、休止状態前の基地局ルータ（ＢＳＲｐｒｅ）に関連する動作は、インデクス４１５（１乃至２）によって示され、休止状態後の基地局ルータ（ＢＳＲｐｏｓｔ）に関連する動作は、インデクス４２０（１乃至４）によって示される。矢印４２５、４３０、４３５、４４０、４４５、４５０は１つまたは複数の動作４０５（１乃至２）、４１０（１乃至２）、４１５（１乃至２）、４２０（１乃至４）中のデータ送信および／または受信を示す。本発明は動作４０５（１乃至２）、４１０（１乃至２）、４１５（１乃至２）、４２０（１乃至４）に限定されないことは当業者には明らかであろう。代替実施例では、休止状態前の呼セッションの再活動化中にこれより多い、または少ない数の動作を実行してもよい。
【００３８】
方法４００の第１の実施例で、移動体ユニット（ＭＵ）は再活動化を開始する。例えば、移動体ユニット（ＭＵ）は、音声信号、キーパッドへの入力、電流投入シーケンスなどのユーザ入力に基づいて再活動化を開始できる。移動体ユニット（ＭＵ）が休止状態からウェークアップすると、呼セッション識別子を用いて、呼セッション状態情報を記憶できる割り当て側基地局ルータ（ＢＳＲａｓｓｉｇｎ）のロケーションを見つけることができる。図に示す実施例では、呼セッション識別子はＵＡＴＩである。ただし、任意の望ましい呼セッション識別子を使用できることは当業者には明らかであろう。あるいは、呼セッション状態情報の一部または全部を休止状態前の基地局ルータ（ＢＳＲｐｒｅ）に記憶でき、割り当て側基地局ルータ（ＢＳＲａｓｓｉｇｎ）は休止状態前の基地局ルータ（ＢＳＲｐｒｅ）のロケーションを示す情報を得ることができる。
【００３９】
動作４０５（１）で、移動体ユニット（ＭＵ）は、矢印４２５で示される接続要求メッセージを、休止状態後の基地局ルータ（ＢＳＲｐｏｓｔ）に送信することでトラヒック・チャネル設定手順を開始する。接続要求メッセージは移動体ユニット（ＭＵ）に関連するＵＡＴＩを含む。動作４２０（１）で、休止状態後の基地局ルータ（ＢＳＲｐｏｓｔ）はＵＡＴＩを含む接続要求メッセージ４２５を受信する。ＵＡＴＩを用いて、休止状態後の基地局ルータ（ＢＳＲｐｏｓｔ）は割り当て側基地局ルータ（ＢＳＲａｓｓｉｇｎ）に連絡してＵＡＴＩの状態を確認する。一実施例では、休止状態後の基地局ルータ（ＢＳＲｐｏｓｔ）は矢印４３０で示すようにメッセージを送信することで割り当て側基地局ルータ（ＢＳＲａｓｓｉｇｎ）に連絡する。
【００４０】
動作４１０（１）で、割り当て側基地局ルータ（ＢＳＲａｓｓｉｇｎ）はＵＡＴＩの送信された状態が有効か否かを判定する。有効な場合、割り当て側基地局ルータ（ＢＳＲａｓｓｉｇｎ）は、矢印４３５で示すように、ＵＡＴＩを収容していた休止状態前の基地局ルータ（ＢＳＲｐｒｅ）のアドレスを送信する。動作４２０（２）で、休止状態後の基地局ルータ（ＢＳＲｐｏｓｔ）はこのアドレスを含むメッセージ４３５を受信し、順方向および逆方向リンクのリソース・レイヤ・プロトコル（ＲＬＰ）をインスタンス化する準備をする。一実施例では、休止状態後の基地局ルータ（ＢＳＲｐｏｓｔ）は、休止状態前の基地局ルータ（ＢＳＲｐｒｅ）のＰＰＰにあらゆる逆リンク・パケットを送信することをわかっている。
【００４１】
動作４０５（２）および４２０（３）で、休止状態後の基地局ルータ（ＢＳＲｐｏｓｔ）および移動体ユニット（ＭＵ）はトラヒック・チャネル設定手順を完了する。図に示す実施例では、トラヒック・チャネルとトラヒック・チャネルを確立するために使用される信号送受が矢印４４０によって示されている。可能な場合、トラヒック・チャネル設定は他の信号送受と同時に実行される。動作４１０（２）および４１５（１）で、割り当て側基地局ルータ（ＢＳＲａｓｓｉｇｎ）は矢印４４５で示すように休止状態前の基地局ルータ（ＢＳＲｐｒｅ）と通信する。一実施例では、割り当て側基地局ルータ（ＢＳＲａｓｓｉｇｎ）は休止状態前の基地局ルータ（ＢＳＲｐｒｅ）に休止状態後の基地局ルータ（ＢＳＲｐｏｓｔ）が移動体ユニット（ＭＵ）との通信を再活動化していることを伝える。休止状態前の基地局ルータ（ＢＳＲｐｒｅ）はメッセージ４４５を受信し、順方向および逆方向リンクＲＬＰが休止状態後の基地局ルータ（ＢＳＲｐｏｓｔ）で実行できることを例外としてそのプロトコル・スタックを再活動化できる。これは、起動時に、ＰＰＰからの順方向リンクのユーザ・データを直接休止状態後の基地局ルータ（ＢＳＲｐｏｓｔ）にトンネリングできることを意味する。
【００４２】
動作４１５（２）および４２０（４）で、矢印４５０で示すように、順方向および逆方向リンク・トラヒックを休止状態前の基地局ルータ（ＢＳＲｐｒｅ）と休止状態後の基地局ルータ（ＢＳＲｐｏｓｔ）との間でトンネリングできる。休止状態後の基地局ルータ（ＢＳＲｐｏｓｔ）はアドレス４５０を受信し、順方向および逆方向リンクＲＬＰをインスタンス化する準備ができる。一実施例では、休止状態後の基地局ルータ（ＢＳＲｐｏｓｔ）は休止状態前の基地局ルータ（ＢＳＲｐｒｅ）のＰＰＰに逆方向リンク・パケットを送信することをわかっている。この時点で、以下に詳述するように、休止状態後の基地局ルータ（ＢＳＲｐｏｓｔ）へのすべてのＢＳＲプロトコル状態の活動状態の移行が開始できる。
【００４３】
上記の方法での移動体ユニット（ＭＵ）の休止状態からの再活動化によって移動体ユニット（ＭＵ）がトラヒックを受信できるまでの経過時間を低減することができる。上記の実施例では、プロトコル状態は休止状態後の基地局ルータ（ＢＳＲｐｏｓｔ）でＲＬＰが実行されることで再活動化し、その他のすべての状態は、呼セッションを最後にした休止状態前の基地局ルータ（ＢＳＲｐｒｅ）で実行される。休止状態後の基地局ルータ（ＢＳＲｐｏｓｔ）へのすべてのプロトコル状態の移行は活動状態の呼セッションの継続中、進行できる。
【００４４】
図５は、本発明の休止状態の呼セッションを再活動化させる方法５００の第２の実施例の概念図である。図５に示す第２の実施例では、移動体ユニット（ＭＵ）に関連する動作がインデクス５０５（１乃至２）で示され、休止状態前の基地局ルータ（ＢＳＲｐｒｅ）に関連する動作がインデクス５１０（１乃至３）で示され、休止状態後の基地局ルータ（ＢＳＲｐｏｓｔ）に関連する動作がインデクス５１５（１乃至４）で示されている。矢印５２０、５２５、５３０、５４０、５４５は１つまたは複数の動作５０１（１乃至２）、５１０（１乃至３）、５１５（１乃至４）中のデータ送信および／または受信を示す。本発明は動作５０１（１乃至２）、５１０（１乃至３）、５１５（１乃至４）に限定されないことは当業者には明らかであろう。代替実施例では、休止状態の呼セッションの再活動化中にこれより多い、または少ない数の動作を実行してもよい。
【００４５】
方法５００の第２の実施例では、分散ネットワークは再活動化を開始する。一実施例では、移動体ユニット（ＭＵ）に宛てたデータを分散ネットワークが受信した時に再活動化が開始する。例えば、ネットワークから到着する順方向リンク・データを休止状態前の基地局ルータ（ＢＳＲｐｒｅ）に送信でき、休止状態前の基地局ルータ（ＢＳＲｐｒｅ）は順方向リンク・データの受信に応答して移動体ユニット（ＭＵ）を見つけるページング・プロセスを開始できる。ページング・プロセスについて以下に詳述する。
【００４６】
動作５１０（１）で、休止状態前の基地局ルータ（ＢＳＲｐｒｅ）に到着する順方向リンク・データによって、休止状態前の基地局ルータ（ＢＳＲｐｒｅ）は休止状態の移動体ユニット（ＭＵ）を見つけるページング・プロセスを開始させられる。一実施例では、休止状態前の基地局ルータ（ＢＳＲｐｒｅ）はページング・ストラテジ(paging strategy)に従って、隣接するＢＳＲに矢印５２０で示すページング要求を送信する。ページング要求５２０と共に、休止状態前の基地局ルータ（ＢＳＲｐｒｅ）のＩＰアドレスとそれに関連するＵＡＴＩが送信される。一実施例では、ページング・ストラテジは、ページング領域が隣接する基地局ルータのグループからなる分散方法で実施される。順方向リンク・データが休止状態前の基地局ルータ（ＢＳＲｐｒｅ）のＰＰＰレイヤに到着すると、休止状態前の基地局ルータ（ＢＳＲｐｒｅ）は順方向リンク・データに基づいて移動体ユニットに関連するＵＡＴＩを決定できる。次いで休止状態前の基地局ルータ（ＢＳＲｐｒｅ）はＵＡＴＩを変換して基地局ルータのＩＰアドレスを決定し、このアドレスを用いてＵＡＴＩ内のカラー・コードが示すサブネット内の他の基地局ルータに呼び出しメッセージを送信することができる。一実施例では、ページング・ストラテジは、休止状態前の基地局ルータ（ＢＳＲｐｒｅ）のすべてのリソースを使い果たさないような最適な方法でページングが実行されるように１つまたは複数のサブグループを定義する工程を含むことができる。休止状態前の基地局ルータ（ＢＳＲｐｒｅ）がカラー・コード境界またはその付近にある場合、ページング・サブグループは複数のカラー・コードにまたがることができる。代替実施例では、ページング要求をカラー・コードにわたって送信できる。
【００４７】
動作５１５（１）で、休止状態後の基地局ルータ（ＢＳＲｐｏｓｔ）は、ＵＡＴＩおよび／または休止状態前の基地局ルータ（ＢＳＲｐｒｅ）のＩＰアドレスを含むことができるページング・メッセージ５２０を受信する。休止状態後の基地局ルータ（ＢＳＲｐｏｓｔ）は移動体ユニット（ＭＵ）に呼び出し５２５を送信する。移動体ユニット（ＭＵ）が応答すると、休止状態後の基地局ルータ（ＢＳＲｐｏｓｔ）は、休止状態前の基地局ルータ（ＢＳＲｐｒｅ）にあるあらゆる逆方向リンク・トラヒックＰＰＰを送信することがわかっている。一実施例では、休止状態後の基地局ルータ（ＢＳＲｐｏｓｔ）は順方向および逆方向リンクＲＬＰをインスタンス化(instantiate)する準備をする。
【００４８】
動作５０５（２）および５１５（２）で、移動体ユニット（ＭＵ）は呼び出し５３０を受信し、そのＵＡＴＩを認識し、休止状態後の基地局ルータ（ＢＳＲｐｏｓｔ）に接続要求メッセージ（矢印５３０で示す）を送信することでトラヒック・チャネル設定手順を開始する。休止状態後の基地局ルータ（ＢＳＲｐｏｓｔ）は応答し、移動体ユニット（ＭＵ）と休止状態後の基地局ルータ（ＢＳＲｐｏｓｔ）はトラヒック・チャネル設定手順を完了する。可能な場合、トラヒック・チャネル設定手順は他の信号送受と同時に実行できる。
【００４９】
動作５１５（３）で、休止状態後の基地局ルータ（ＢＳＲｐｏｓｔ）は、休止状態後の基地局ルータ（ＢＳＲｐｏｓｔ）が移動体ユニット（ＭＵ）との通信を再活動化していることを示すメッセージ５３５を休止状態前の基地局ルータ（ＢＳＲｐｒｅ）に提供できる。メッセージ５３５はまた休止状態前の基地局ルータ（ＢＳＲｐｒｅ）に休止状態後の基地局ルータ（ＢＳＲｐｏｓｔ）のアドレスを通知できる。動作５１０（２）で、休止状態前の基地局ルータ（ＢＳＲｐｒｅ）はメッセージ５３５を受信し、順方向および逆方向リンクＲＬＰが休止状態後の基地局ルータ（ＢＳＲｐｏｓｔ）で実行されることを例外としてそのプロトコル・スタックを再活動化させる。これは、起動時に、順方向リンクのユーザ・データを直接休止状態後の基地局ルータ（ＢＳＲｐｏｓｔ）にトンネリングしなければならないことを意味する。
【００５０】
動作５１０（３）および５１５（４）で、矢印５４０で示すように、順方向および逆方向リンク・トラヒックが休止状態前の基地局ルータ（ＢＳＲｐｒｅ）と休止状態後の基地局ルータ（ＢＳＲｐｏｓｔ）との間でトンネリングされる。休止状態前の基地局ルータ（ＢＳＲｐｒｅ）はメッセージ５４０を受信し、順方向および逆方向リンクＲＬＰが休止状態後のＢＳＲで実行されることを例外としてそのプロトコル・スタックを再活動化させる。これは、起動時に、順方向リンクのユーザ・データを直接休止状態後の基地局ルータ（ＢＳＲｐｏｓｔ）にトンネリングしなければならないことを意味する。
【００５１】
上記の方法での移動体ユニット（ＭＵ）の休止状態からの再活動化によって、移動体ユニット（ＭＵ）は可能な限り早い時点でトラヒックを受信することが可能になり得る。上記の実施例では、プロトコル状態は再活動化し、最後に呼を収容した休止状態後の基地局ルータ（ＢＳＲｐｏｓｔ）でＲＬＰが実行される。休止状態後の基地局ルータ（ＢＳＲｐｏｓｔ）へのすべてのプロトコル状態の移行は活動状態の呼の継続中、進行できる。
【００５２】
図１を再度参照すると、一代替実施例では、移動体ユニット１１０は、移動体ユニット１１０が休止状態の間に基地局ルータ１０５（４）に関連するカラー・コードが変更されたと判定できる。例えば、移動体ユニット１１０はオーバヘッド・チャネルにセクタ・パラメータがないかリスンしてそれによって新しいカラー・コードに関連する新しいサービス・エリア内にあることを検出できる。次いで移動体ユニット１１０は基地局ルータ１０５（４）にその呼セッション識別子を送信できる。基地局ルータ１０５（４）は呼セッション識別子が示す基地局ルータ１０５（３）のカラー・コードに基づいて少なくとも部分的に基地局ルータ１０５（３）のアドレスを決定できる。次いで基地局ルータ１０５（４）は基地局ルータ１０５（３）から呼セッション状態情報を取り出すことができる。一実施例では、移動体ユニット１１０は休止状態から立ち上がった時点で呼セッション識別子の再割り当てを要求することができる。
【００５３】
一実施例では、カラー・コード・グループ内の任意の基地局ルータ１０５へのアドレス変換要求メッセージ／応答はすべての基地局ルータ１０５内でプロビジョニングしてすべての基地局ルータＩＰアドレスをすべてのカラー・コード領域内のすべての基地局ルータ１０５に記憶する手間を回避することができる。したがって、１つの基地局ルータは、別のカラー・コード・グループ内の基地局ルータ１０５から要求を受信した時にカラー・コード領域内のすべての基地局ルータ１０５についてアドレス変換要求を実行することができる。あるいは、メッセージ／応答をネットワーク管理センタ（図示せず）で処理することもできる。その場合、ネットワーク管理センタはすべてのカラー・コード領域のすべての基地局ルータＩＰアドレスを記憶することができる。
【００５４】
上に開示された特定の実施例は例示的なものにすぎず、本明細書の教示を享受する当業者には明らかなさまざまな同等の方法で本発明を変更し実施することができる。さらに、請求の範囲に記載する以外、図示の構成または設計の詳細に制限はない。したがって、上に開示された特定の実施例は修正または変更が可能であり、そのような変更は本発明の範囲と精神とを逸脱するものではない。したがって、本明細書で追求する保護は請求の範囲に記載する。
【図１】
0005851933.tif 000002
【図２】
0005851933.tif 000003
【図３】
0005851933.tif 000004
【図４】
0005851933.tif 000005
【図５】
0005851933.tif 000006